(57)【要約】本発明に基づく照明装置は平形ランプ（６）を有し、この平形ランプ（６）の周縁部位に断面ほぼＵ状の枠（９）が設けられている。その断面Ｕ状枠（９）の両脚（１０、１１）が平形ランプ（６）の周縁部位を取り囲んでいる。【選択図】図２
2010524197.tif 000002
【特許請求の範囲】
【請求項１】
光放射に利用される正面部とその反対側の背面部とを有し周縁で境界づけられた平形ランプ（６）と、少なくとも平形ランプ（６）の縁を少なくとも部分的に取り囲む枠（９）とを備えた照明装置（１）であって、
枠（９）の形材（かたざい）が１つのクロスピースを介して相互に結合され互いに平行に延びる２つの脚（１０、１１）を有し、該両脚（１０、１１）が平形ランプ（６）の縁を断面Ｕ形に取り囲んでいることを特徴とする照明装置。
【請求項２】
枠（９）の形材が、断面Ｕ状に一体に形成されていることを特徴とする請求項１に記載の照明装置。
【請求項３】
枠（９）の両脚（１０、１１）の少なくとも一方の脚（１０）が、枠（９）の断面Ｕ状形材の開口を狭める膨出部（１２）を有し、該膨出部（１２）が平形ランプ（６）の周縁部位の窪み（１３）にはめ込まれていることを特徴とする請求項１又は２に記載の照明装置。
【請求項４】
枠（９）が、プラスチックから成っていることを特徴とする請求項１ないし３のいずれか１つに記載の照明装置。
【請求項５】
枠（９）が、射出成形品として形成されていることを特徴とする請求項１ないし４のいずれか１つに記載の照明装置。
【請求項６】
平形ランプ（６）と枠（９）が、桶状収容部（３）にはめ込まれていることを特徴とする請求項１ないし５のいずれか１つに記載の照明装置。
【請求項７】
平形ランプ（６）の正面部が、保護板（４）で覆われていることを特徴とする請求項１ないし６のいずれか１つに記載の照明装置。
【請求項８】
保護板（４）が、枠（９）の支持部位（１４）上に載置されていることを特徴とする請求項７に記載の照明装置。
【請求項９】
角形形状の周囲覆い枠（１７）が桶状収容部（３）を覆って嵌めこまれ、該覆い枠（１７）が断面Ｕ状の枠（９）を含めて平形ランプ（６）を収容部（３）の内部に固定されていることを特徴とする請求項６に記載の照明装置。
【請求項１０】
平形ランプ（６）が、誘電体バリア放電によって点灯するように設計されていることを特徴とする請求項１ないし９のいずれか１つに記載の照明装置。
【発明の詳細な説明】
【技術分野】
【０００１】
本発明は枠とその中に配置された平形ランプとを備えた照明装置に関する。
【背景技術】
【０００２】
かかる照明装置は多種多様な照明目的に採用され、特に一般的な照明における照明器具並びに液晶ディスプレイ（ＬＣＤ）の背面照明（バックライト・ユニット（ＢＬＵ）とも呼ばれる）にも採用される。背面照明目的に関しては、近年ますます注目を浴びている特に大形サイズのＬＣＤテレビが挙げられる。
【０００３】
ここで用語「平形ランプ」とは、白色光や色彩光、並びに特殊用途においてＵＶ（紫外線）光も発生する平面形状のランプ、特に蛍光ランプを意味する。その平面形状は、平形ランプの光放射に利用される正面部が、例えば波形やリブ状の構造を有することを除外しない。即ち、平形ランプのランプ容器は、必ずしも平らな板ガラスで形成される必要はない。
【０００４】
本発明は、水銀および／又は希ガスが封入された通常の平形ランプのほかに、特に誘電体バリア放電ランプの形式の平形ランプにも適用される。この種のランプの場合、１つの極性の電極あるいはすべての電極、即ち、両極性の電極が、誘電体層によって放電からしゃ断されている（片側ないし両側誘電体バリア放電）。  かかる電極は以下において単に「誘電体電極」とも呼ぶ。また、誘電体層はこの目的のために電極に特別設けられた層である必要はなく、例えば放電管壁によっても形成でき、即ち、典型的には帯状ないし線状の電極が放電管壁の外側面あるいはその放電管壁の内部に配置されている場合に、その放電管壁によって形成することができる。
【０００５】
誘電体バリア放電ランプの形式の平形ランプは、これが特許文献１に記載されたパルス方式で点灯され、従って特に照明器具ないしバックライト・ユニットにおける用途に適用されるとき、特に効果的な平面光源であることが実証されている。
【０００６】
特許文献２に、平形ランプを備えた照明装置が開示されている。そこでは、平形ランプは、背面壁と周囲側壁とから成るケースにはめ込まれている。その側壁に嵌められ、同様に取り囲む枠が、平形ランプをケースの内部に固定している。
【先行技術文献】
【特許文献】
【０００７】
【特許文献１】米国特許第５６０４４１０号明細書
【特許文献２】欧州特許出願公開第１６００８０８号明細書
【特許文献３】米国特許第６７６２５４９号明細書
【発明の概要】
【発明が解決しようとする課題】
【０００８】
本発明の課題は、平形ランプが確実に機械的に保護される平形ランプ付き照明装置を提供することにある。
【課題を解決するための手段】
【０００９】
この課題は、光放射に利用される正面部とその反対側の背面部とを有し周縁で境界づけられた平形ランプと、少なくとも平形ランプの縁を少なくとも部分的に取り囲む枠とを備えた照明装置であって、枠の形材（かたざい）が１つのクロスピースを介して相互に結合され互いに平行に延びる２つの脚を有し、その両脚が平形ランプの縁を断面Ｕ形に取り囲んでいることを特徴とする照明装置によって解決される。
【００１０】
特に有利な実施態様は従属請求項に記載されている。
【発明の効果】
【００１１】
本発明に基づく照明装置は平形ランプを有し、この平形ランプの周縁部位に断面ほぼＵ状の形材（かたざい）を有する枠が設けられている。この枠自体は断面Ｕ状の１つの部品あるいは複数の同形部品から成っている。その断面Ｕ状の形材によって、個々の枠部品は平形ランプの周縁部位に簡単に嵌められる。その場合、断面Ｕ状の形材の両脚は、平形ランプの周縁部位を取り囲む。枠ないし個々の枠部品の断面Ｕ状の形材は、単一品として形成されていると有利である。好適には、この枠はプラスチック例えばシリコンで作られ、好適には、射出成形品として形成されている。これは、各枠部品自体が単一品であり、従って、平形ランプの周縁部位に支障なしに嵌められるので、製造が簡単である利点と取扱いが容易である利点とを有する。
【００１２】
好適な実施態様において、枠の両脚の少なくとも一方の脚が、枠の断面Ｕ状の形材の開口を狭める膨出部を有している。枠を嵌めるために、断面Ｕ状形材の１つの脚が僅かに湾曲される。枠を嵌めた後、その脚は平形ランプの周縁部位の窪みに弾力的にはまり込み、両脚は本来の相対間隔に戻る。これによって、枠部品は平形ランプに確実に嵌められる。これは、全枠部品並びに場合によっては枠を含む平形ランプの別のケースへの組立を単純化する。いずれの場合も、枠を嵌めた後、平形ランプの縁は機械的に保護される。もう１つの利点は、枠が別のケースへのはめ込み時におけるランプ公差の確実な補償を保証することにある。またその枠は、照明器具で要求される周縁部位における空隙距離および沿面距離を維持するための、その照明器具における電気保護基準例えばＵＬ１５９８とＥＮ６０５９８−１の厳守を可能とする。後者は特に、本件出願人出願の特許文献３に記載されているように、平形ランプの底板の外側面に電極板が設けられている場合に重要である。その場合、考え得る数ｋＶ特に少なくとも５ｋＶの電圧に対する絶縁破壊強さが必要である。さらに、材料の選択に際しては、僅かな脱気でも経年劣化耐性並びにＵＶ強度が得られるように配慮しなければならない。例えば、シリコンが適している。
【００１３】
また、例えば以下の複合プラスチックのような他の材料も適用される。即ち、ポリエチレン（ＰＥ）／ポリプロピレン（ＰＰ）、ポリアクリル酸メチル（ＰＭＭＡ）／ポリスチロール（ＰＳ）、アセチルセルロース（ＣＡ）／アクリロニトリル・ブタジエン・スチレン樹脂（ＡＢＳ）、並びにポリカーボネート（ＰＣ）／ＡＢＳが適用される。
【００１４】
有利な実施態様において、平形ランプがそれに嵌められた枠と共に桶状収容部に、即ち、周囲側壁を備えた底部品にぴったりはめ込まれ、その底部品は開口を有する。好適には、この収容部は保護板で覆われている。保護板を載せるときの力が、場合によっては薄く従って壊れ易い平形ランプに、直接作用しないようにするために、その保護板は枠の支持部位に載っている。保護板の材料として、例えばガラス、特にマクロロン（独バイエル社製品：登録商標）強化ガラス、あるいはプラスチックが適している。
【００１５】
平形の照明装置の個々の構成要素を集結結合するために、好適には、角形形状の周囲覆い枠が桶状収容部を覆って嵌めこまれている。これによって、平形ランプは断面Ｕ状の枠を含めて（保護板と一緒にあるいは保護板なしに）収容部の内部にしっかりと固定される。
【００１６】
以下図に示した実施例を参照して本発明を詳細に説明する。なお各図において同一構成要素ないし機能同一構成要素には同一符号が付されている。
【図面の簡単な説明】
【００１７】
【図１】本発明に基づく照明装置の実施例の平面図。
【図２】図１の照明装置のＡ−Ａ線に沿った断面図。
【図３】図１に示された照明装置と異なった実施例の平面図。
【図４】図３の照明装置のＢ−Ｂ線に沿った断面図。
【発明を実施するための形態】
【実施例１】
【００１８】
図１に本発明に基づく照明装置１の実施例が上から見た平面図で概略的に示され、即ち、光放射に利用される正面部が示されている。そこで、熱伝導性材料、例えば相応したプラスチックから成る桶状収容部３の周囲側壁２が理解できる（図２も参照）。照明装置１の正面部は、マクロロン（独バイエル社製品：登録商標）から成る保護板４で覆われている。この保護板４の後ろに平形ランプが配置されているが、この平形ランプは図１では見えない。このため、他の詳細については図２を参照されたい。
【００１９】
図２は図１の照明装置１をＡ−Ａ線に沿った断面図で示している。保護板４と桶状収容部３の底板５との間に平形ランプ６が在る。この平形ランプ６は、平らな基板７と波形の前面板８を有している。平形ランプの内部における誘電体バリアガス放電の点灯のために用いられる帯状の外側電極（図示せず）が、基板７の外側面に存在している。それ自体公知の平形ランプの他の詳細については、例えば本件出願人出願の特許文献３を参照されたい。平形ランプ６の周縁部位に枠９が設けられ、この枠９は、細長い断面Ｕ状の形材としてシリコンから射出成形されている。シリコンの利用によって、僅かな脱気でも大きな経年劣化耐性並びにＵＶ強度が得られる。枠９は、断面Ｕ状に結合された長さの異なる２つの脚１０、１１を有し、その両脚１０、１１は平形ランプ６の周縁部位を挟み込んでいる。前面板８に隣接する上側脚１０は突起状膨出部１２を有し、この膨出部１２は前面板８の周縁部位における窪み１３にぴったりはまり込んでいる。枠９を嵌めるために、幾分たわみ性を有する両脚１０、１１が僅かに曲げられ、平形ランプ６の厚肉の縁部位を越えて膨出部１２が窪み１３にはまり込むまで延びる。枠９によって、平形ランプ６は、桶状収容部３にぴったりはめ込まれる。枠９は、上側脚１０に支持部位１４を有し、この支持部位１４は一方では桶状収容部３の側壁２の段部上に置かれ、他方では載置された保護板４に対する支えとして用いられる。枠９の周囲に沿って配置された支持部位１４によって、保護板１４の設置力が平形ランプ６に作用しないことが保証される。平形ランプ６の周縁部位を取り囲み保持する枠９に加えて、平形ランプ６の基板７と桶状収容部３の底板５との間に、ゴムスポンジ（例えば３Ｍ社製の"Double Coated Foam Tapes"）から成る厚さが少なくとも２ｍｍの数個の薄い弾性両面接着テープ１５が設けられている。このためにポリフォーム社製の独立気泡合成ゴムも適している。
【実施例２】
【００２０】
図３と図４は、図１と図２に示された照明装置の変形例１６を概略平面図ないしＢ−Ｂ線に沿った断面図で示している。ここでは、前記実施例に加えて、一体形の周囲の覆い枠１７が桶状収容部３を覆って嵌められている。その覆い枠１７は、互いに直交する２つの脚１８、１９を備えた断面角形の形状を有している。その第１脚１８は、保護板１４の外縁を覆っている。それに直角な第２脚１９は、桶状収容部３の周囲側壁２の外側を包囲している。挟み込むように嵌めこまれた覆い枠１７によって、平らな照明装置１６の個々の構成要素は集結結合され、最終的に平形ランプ６は断面Ｕ状の枠９を含めて収容部３の内部に固定される。
【符号の説明】
【００２１】
１    照明装置
４    保護板
６    平形ランプ
９    枠
１０    脚
１１    脚
１２    膨出部
１３    窪み
１７    覆い枠
【図１】
2010524197.tif 000003
【図２】
2010524197.tif 000004
【図３】
2010524197.tif 000005
【図４】
2010524197.tif 000006
【国際調査報告】
2010524197.tif 000007
2010524197.tif 000008
2010524197.tif 000009
2010524197.tif 000010
2010524197.tif 000011
2010524197.tif 000012